(57)【要約】【課題】家庭内での消費電力削減の意識向上に役立てようとする監視システムにおいて、電気機器の消費電力量を比較的簡単に家庭内の誰もがいつでも電気機器の消費電力量を見ることができる状態にする。【解決手段】  テレビ放送を受信又は入力端子から入力して映像信号を取得する映像取得部１１と、複数の機器ごとの消費電力量を取得する端末消費電力情報取得部１４と、前記機器ごとに対応したアイコンを生成し、前記アイコン及び前記機器ごとの消費電力量に応じて前記機器ごとの文字画像情報を生成し、前記機器ごとの前記文字画像情報からＯＳＤ画像情報を生成するＯＳＤ生成部１２と、前記映像信号と前記文字画像情報とをともに表示する表示部１３とを備える。【選択図】    図１
2015076925.tif 000002
【特許請求の範囲】
【請求項１】
テレビ放送を受信してまたは入力端子から入力して映像信号を取得する映像取得部と、
ネットワークに接続された複数の機器ごとの消費電力量を取得する端末消費電力情報取得部と、
前記機器ごとに対応したアイコンを生成し、前記アイコン及び前記機器ごとの消費電力量に応じて前記機器ごとの文字画像情報を生成し、前記機器ごとの前記文字画像情報からＯＳＤ画像情報を生成するＯＳＤ生成部と、
前記映像信号と前記ＯＳＤ画像情報とをともに表示する表示部と
を備えた電力消費量監視装置。
【請求項２】
前記機器ごとの文字画像情報は、前記機器ごとの消費電力量を所定の電力消費量で換算した値に応じて前記機器に対応づけた前記アイコンの表示数を決定して生成される
ことを特徴とする請求項１に記載の電力消費量監視装置。
【請求項３】
前記機器ごとの文字画像情報は、前記機器ごとの消費電力量を所定の電力消費量で換算した値に基づいて前記機器に対応づけた前記アイコンの表示サイズを決定して生成される
ことを特徴とする請求項１に記載の電力消費量監視装置。
【請求項４】
前記表示部は、前記映像信号の表示サイズを縮小させて、縮小させた映像信号と前記ＯＳＤ画像情報とをともに表示する
ことを特徴とする請求項１から請求項３のうちいずれか１項に記載の電力消費量監視装置。
【請求項５】
前記表示部は、前記表示部が表示できる表示領域のアスペクト比と前記映像信号のアスペクト比とが異なる場合は、前記表示領域から前記映像信号又は前記縮小させた映像信号を表示したときに余る表示領域に前記ＯＳＤ画像情報を表示する
ことを特徴とする請求項４に記載の電力消費量監視装置。
【請求項６】
前記端末消費電力情報取得部は、前記複数の機器ごとの消費電力量を記憶する記憶部をさらに有し、
前記機器ごとの文字画像情報は、現在の前記機器の前記消費電力量と前記記憶部で記憶された過去の前記機器の前記消費電力量との差分を示す差分情報アイコンを含んで生成される
ことを特徴とする請求項１から請求項５のいずれか１項に記載の電力消費量監視装置。
【請求項７】
前記表示部は、前記消費電力量が所定の電力量を超えた場合は、前記表示部が表示できる表示領域に注意喚起情報を重畳して表示する
ことを特徴とする請求項１から請求項６のいずれか１項に記載の電力消費量監視装置。
【請求項８】
前記ネットワークで消費される消費電力量を測定する消費電力量測定部と、
前記ネットワークに接続された複数の機器について電源オン状態か電源オフ状態かを示す電源状態の情報を取得する機器電源状態取得部と、
前記消費電力量測定部が測定した消費電力量と機器電源状態取得部が取得した前記電源状態とを記録する記録部と、
前記電源状態の情報が同じ状態で続いている電源状態ごとに、前記消費電力量の時間平均を算出するデータ積算部と、
前記電源状態ごとの前記消費電力量の時間平均から前記複数の機器ごとの消費電力平均推定値を推定する機器平均電力算出部と、
現時点で電源オン状態の前記機器の前記消費電力平均推定値の比率に応じて、前記消費電力測定装置の測定値を比例分割して各機器の消費電力を推定する機器消費電力推定部とを有する消費電力量監視部、
及び前記消費電力量監視部から前記複数の機器ごとの消費電力量を取得する請求項１から請求項７のいずれか１項に記載の電力消費量監視装置
を備えることを特徴とする電力消費量監視システム。
【発明の詳細な説明】
【技術分野】
【０００１】
この発明は、オンスクリーン表示機能を備えた映像表示装置に関する。
【背景技術】
【０００２】
近年では、例えば家庭内で使用される電気機器に関する消費電力の情報を監視するシステム、例えばＨＥＭＳ（Ｈｏｍｅ  Ｅｎｅｒｇｙ  Ｍａｎａｇｅｍｅｎｔ  Ｓｙｓｔｅｍ）と呼ばれるエネルギー監理システムについて注目されている。ここでは、消費電力情報の可視化によって家庭内での消費電力削減の意識向上に役立てようとする様々な提案がなされている。
【０００３】
例えば、家屋内の電源コンセントと複数の電気機器とを接続するテーブルタップに、電流計と電圧計を内蔵して測定及び演算して得られたそれぞれの電気機器の消費電力量をＬＡＮ（Ｌｏｃａｌ  Ａｒｅａ  Ｎｅｔｗｏｒｋ）経由でマイクロコンピュータ（例えばパソコン、パーソナルコンピューターともいう）に伝送する方法があった（例えば、特許文献１参照）。
【先行技術文献】
【特許文献】
【０００４】
【特許文献１】特開２００８−２６１８２６号公報（第５−７頁、第１図）
【発明の概要】
【発明が解決しようとする課題】
【０００５】
しかしながら、特許文献１のような電気量監視装置では、電気機器の消費電力量を監視するために、わざわざパソコンを起動しなければならないので煩雑であるという問題があった。特にパソコンのログインにパスワードが設定してあれば、家庭内の誰もがいつでも電気機器の消費電力量を見ることができる状態にできないという問題があった。
【０００６】
この発明は、上述のような課題を解決するためになされたもので、電気機器の消費電力量を比較的簡単に家庭内の誰もがいつでも電気機器の消費電力量を見ることができる状態にする映像表示装置を得るものである。
【課題を解決するための手段】
【０００７】
この発明に係る映像表示装置においては、テレビ放送を受信してまたは入力端子から入力して映像信号を取得する映像取得部と、ネットワークに接続された複数の機器ごとの消費電力量を取得する端末消費電力情報取得部と、前記機器ごとに対応したアイコンを生成し、前記アイコン及び前記機器ごとの消費電力量に応じて前記機器ごとの文字画像情報を生成し、前記機器ごとの前記文字画像情報からＯＳＤ画像情報を生成するＯＳＤ生成部と、前記映像信号と前記ＯＳＤ画像情報とをともに表示する表示部とを備えるものである。
【発明の効果】
【０００８】
この発明は、取得した映像信号とＯＳＤ生成部で生成したＯＳＤ画像情報とをともに表示する表示部を備える映像表示装置を用いて、機器ごとに対応づけたアイコンを生成し、前記アイコンを前記機器ごとの消費電力量に応じて生成したＯＳＤ画像情報を表示することで、比較的簡単に家庭内の誰もがいつでも電気機器の消費電力量を見ることができる状態にすることを可能にする。
【図面の簡単な説明】
【０００９】
【図１】実施の形態１にかかる映像表示装置１を備えた消費電力監視システムの構成図である。
【図２】実施の形態１にかかる映像表示装置１での表示部１３の表示内容を示す図である。
【図３】実施の形態１にかかる映像表示装置１での表示部１３の表示内容を別の態様で示す図である。
【図４】過去の消費電力との比較を表示するときの表示部１３の表示内容を示す図である。
【図５】過去の消費電力との比較を表示するときの表示部１３の表示内容を示すその他の図である。
【図６】警告表示をするときの表示部１３の表示内容を示すその他の図である。
【図７】実施の形態２にかかる第２の消費電力計測部を示す図である。
【図８】実施の形態２にかかる第２の消費電力計測部の電力量情報と電源入切状態情報との例を示す図である。
【図９】実施の形態２にかかる第２の消費電力計測部の各電気機器の電源入切状態の例を示す図である。
【発明を実施するための形態】
【００１０】
実施の形態１．
図１は、この発明の実施の形態１にかかる映像表示装置１を備えた消費電力監視システムの構成図である。図１において、映像表示装置１と消費電力計測部３とはネットワーク２で接続されている。ネットワーク２は、有線のＬＡＮに限らず無線のネットワークと考えてもよい。
【００１１】
消費電力計測部３は、それぞれの電気機器４１と電気機器４２と電気機器４３とについて消費電力量を計測し、ネットワーク２を経由して映像表示装置１へ各電気機器の消費電力量を供給する。
【００１２】
映像表示装置１は、映像信号を取得する映像取得部１１と、ＯＳＤ画像情報を生成するＯＳＤ生成部１２と、映像取得部１１からの映像信号及びＯＳＤ生成部１２からのＯＳＤ画像情報とを表示する表示部１３を備える。また、消費電力計測部３とネットワーク２を介して接続されたネットワークインターフェース部（以下、ネットワークＩＦ部ともよぶ）１４と、ネットワーク２及びネットワークＩＦ部を介して消費電力計測部３から各電気機器の消費電力量を取得する端末消費電力取得部１５とを備え、ＯＳＤ生成部１２は、端末消費電力取得部１５からの情報をもとに機器ごとの文字画像情報をもとにＯＳＤ画像情報を生成する。
【００１３】
次に、本実施の形態にかかる映像表示装置１の各構成要素について説明をする。映像取得部１１は、アンテナと接続するＴＶ受信部１１１と、入力インターフェース部（以下、入力ＩＦ部ともよぶ）１１２とを備える。ＴＶ受信部１１１は、アンテナから選局された信号を受信し、表示部１３が表示できる映像信号を生成する。例えば、地上波デジタルＴＶであれば、デジタル復調及びデジタル復号を行って圧縮された映像ストリームを生成し、圧縮された映像ストリームをデコードすることで映像信号及び音声信号を取得する。なお、ＴＶ受信部１１１が受信する信号はアンテナからの受信信号に限らず、ケーブルテレビであれば、ケーブルテレビの送信局や中継局からの受信信号であっても構わない。
【００１４】
入力ＩＦ部１１２は、外部入力端子と接続され、例えばＤＶＤプレーヤーやゲーム機器など外部映像出力装置（図示せず）に接続されて、映像信号及び音声信号を取得する。なお、入力ＩＦ部１１２がインターネットまたはイントラネットに接続されて映像信号及び音声信号を取得するものであっても構わない。
【００１５】
端末消費電力情報取得部１５は、ネットワーク２及びネットワークＩＦ１４を介して消費電力計測部３と接続され、消費電力計測部３と通信を行い、消費電力計測部３が測定した各電気機器の消費電力量を受信して取得する。端末消費電力情報取得部１５は、各電気機器の消費電力量をＯＳＤ生成部１２に供給する。
【００１６】
ＯＳＤ生成部１２は、表示部１３が表示する領域の一部または全体を表示するＯＳＤ画像情報を生成する。ここで、ＯＳＤとは、Ｏｎ  Ｓｃｒｅｅｎ  Ｄｉｓｐｌａｙ（オンスクリーンディスプレー）の略称である。ＯＳＤ画像情報は文字画像情報ともいわれるが、本実施の形態では機器ごとに生成する文字画像情報をまとめたものをＯＳＤ画像情報とよぶ。ＯＳＤ画像情報の例としては、番組表や設定画面、チャンネル情報などがある。本実施の形態では、消費電力監視システムを構成する各電気機器のアイコンを生成する。各電気機器のアイコンは電気機器ごとに異なるアイコンであることが望ましく、ユーザーが判別可能なアイコンであることが望ましい。例えば電気機器が照明機器であればユーザーが照明機器と見て分かるアイコンを設定し、空調機器であればユーザーが空調機器と見て分かるアイコンを設定することが望ましい。同じ空調機器であれば、アイコンの色やアイコンの一部に数字や文字を異なるものにするなどして、ユーザーがどの空調機器のアイコンであるかが判別可能なアイコンを設定することが望ましい。
【００１７】
これらのアイコンは、予め複数種類のアイコンを記録するアイコン記憶部をさらに設けておき（図示せず）、アイコン記憶部に記憶された複数種類のアイコンの中から適当なアイコンを選択するようにしても構わない。この場合は、消費電力監視システムの電気機器が増える度にアイコンを生成する必要がなくなるという効果を奏する。
【００１８】
ＯＳＤ生成部１２は、端末消費電力取得部１５から供給される各電気機器の消費電力量を取得する。取得したそれぞれの電気機器の消費電力量から、対応づけたアイコンの表示数を決定する。例えば各電気機器が冷蔵庫４１、照明機器４２、空調機器４３であり、空調機器４３の消費電力が所定の電力消費量の１．５倍以上且つ２．５倍未満であれば、空調機器４３に対応づけて生成したアイコンの表示数を２個にする。冷蔵庫４１の消費電力が所定の電力消費量以下であれば冷蔵庫４１に対応づけて生成したアイコンの表示数を１個にする。
【００１９】
ここで、所定の電力消費量は、予め設定した電力消費量であっても良いし、ユーザーが設定可能にした値であっても良い。また、消費電力監視システムを構成する各電気機器のうちいずれかの電気機器の電力消費量を所定の電力消費量としても良い。
【００２０】
このように、電気機器ごとの消費電力量に応じて対応づけたアイコンの表示数を調整することで、ＯＳＤ生成部１２は最初に生成したアイコンを複数並べるだけで機器ごとの文字画像情報を生成することができ、文字画像情報をまとめたＯＳＤ画像情報を生成することができるので、ユーザーにそれぞれの電気機器の消費電力の状況が把握しやすいＯＳＤ画像情報を簡単な処理で生成することができる。
【００２１】
図２は、本実施の形態にかかる映像表示装置１での表示部１３の表示内容を示す図である。ここでは、各電気機器が冷蔵庫４１、照明機器４２、空調機器４３であり、空調機器４３の消費電力が所定の電力消費量の３．５倍以上且つ４．５倍未満であり、冷蔵庫４１及び照明機器４２の消費電力が所定の電力消費量の１．５倍以上且つ２．５倍未満である場合を示す。
【００２２】
図２において、表示部１３の表示領域１３０の中に映像取得部１１からの映像信号を表示する表示領域１３０１と、ＯＳＤ生成部１２からのＯＳＤ画像情報を表示する表示領域１３０２がある。表示領域１３０２において、冷蔵庫４１及び照明機器４２の消費電力は所定の電力消費量の１．５倍以上且つ２．５倍未満であるため、冷蔵庫４１に対応づけたアイコン１３４１は２個（１３４１ａ及び１３４１ｂ）生成され、同様に照明機器４２に対応づけたアイコン１３４２は２個（１３４２ａ及び１３４２ｂ）生成される。一方、空調機器４３の消費電力が所定の電力消費量の３．５倍以上且つ４．５倍未満であるため、空調機器４３に対応づけたアイコン１３４３は４個（１３４３ａ、１３４３ｂ、１３４３ｃ、及び１３４３ｄ）生成される。このように同じアイコンが並ぶことでユーザーは各電気機器の消費電力量の状況が把握しやすい表示を提供することができる。
【００２３】
図３は、本実施の形態にかかる映像表示装置１での表示部１３の表示内容を別の態様で示す図である。図３では、ＯＳＤ生成部１２は、取得したそれぞれの電気機器の消費電力量から、対応づけたアイコンの表示サイズを調整する。ここでは、例えば各電気機器が冷蔵庫４１、照明機器４２、空調機器４３であり、空調機器４３の消費電力が所定の電力消費量の３．５倍以上且つ４．５倍未満であれば、空調機器４３に対応づけて生成したアイコンの表示サイズを基準サイズの４倍にする。冷蔵庫４１の消費電力が所定の電力消費量の１．５倍以上且つ２．５倍未満であれば冷蔵庫４１に対応づけて生成したアイコンの表示サイズを２倍にする。同様に、照明機器４２の消費電力が所定の電力消費量の１．５倍以上且つ２．５倍未満であれば照明機器４２に対応づけて生成したアイコンの表示サイズを２倍にする。
【００２４】
このように、電気機器ごとの消費電力量に応じて対応づけたアイコンの表示サイズを調整することで、ＯＳＤ生成部１２は最初に生成したアイコンのサイズを拡大縮小するだけで機器ごとの文字画像情報を生成することができるので、ユーザーにそれぞれの電気機器の消費電力の状況が把握しやすいＯＳＤ画像情報を簡単な処理で生成することができる。ここで、アイコンの表示サイズとはアイコンの形状そのものを示しても良いし、１つのアイコンを形成する背景エリアを含めたものとしても良い。表示領域１３０２の形状に応じてアイコンの縦方向のみ拡大縮小しても、アイコンの横方向のみ拡大縮小しても、アイコンの縦方向及び横方向の両方を拡大縮小するものとしても良い。
【００２５】
ここで、例えば空調機器４３の消費電力が所定の電力消費量の１．５倍のときに、空調機器４３に対応づけて生成したアイコンの表示数を１個と半分を表示する、つまり空調機器４３に対応づけて生成したアイコン全体の半分を不可視にしたアイコンとすることで、より細やかな表示設定をした機器ごとの文字画像情報の生成が可能となる。
【００２６】
同様に、アイコンの表示サイズを調整する場合についても、例えば空調機器４３の消費電力が所定の電力消費量の１．５倍のときに、空調機器４３に対応づけて生成したアイコンの表示サイズを１．５倍にすることで、より細やかな表示設定をした機器ごとの文字画像情報の生成が可能となる。
【００２７】
ここで、上述した所定の電力消費量について、ＯＳＤ生成部１２からのＯＳＤ画像情報を表示する表示領域１３０２の中で表示するアイコンの総数をＮ個とした場合に、それぞれの電気機器の消費電力量の全体量をＮで割った消費電力量を目安として所定の電力消費量を設定しても構わない。例えば、表示領域１３０２の中で表示するアイコンの総数Ｎが１０個である場合は、それぞれの電気機器の消費電力量の全体量に対して約１０％が所定の電力消費量とすることになる。所定の電力消費量は、それぞれの電気機器の消費電力量の全体量からＮを割った値そのものではなく、比較演算のしやすい近似値としても構わない。
【００２８】
表示部１３は、映像取得部１１からの映像信号とＯＳＤ生成部１２からのＯＳＤ画像情報とをともに表示する。このとき、映像取得部１１からの映像信号を表示部１３の表示領域全体に表示し、ＯＳＤ生成部１２からのＯＳＤ画像情報を重畳して表示する。
【００２９】
他の表示方法として、映像取得部１１からの映像信号を縮小表示して表示部１３の表示領域全体の残りの領域にＯＳＤ生成部１２からのＯＳＤ画像情報を表示することで、映像取得部１１からの映像信号の一部が隠れて見えなくなることを回避することが可能となる。
【００３０】
また、映像取得部１１からの映像信号のアスペクト比が、表示部１３の表示領域のアスペクト比と異なる場合は、表示部１３の表示領域に表示したときに余る表示領域にＯＳＤ生成部１２からのＯＳＤ画像情報を表示するとしても良い。例えば、映像取得部１１からの映像信号のアスペクト比が４：３で、表示部１３の表示領域のアスペクト比が１６：９であれば、映像取得部１１からの映像信号を右または左に詰めて表示させることで表示部１３の表示領域に余る領域が確保できるため、その余った領域にＯＳＤ生成部１２からのＯＳＤ画像情報を表示する。映像取得部１１からの映像信号が表示部１３の表示領域よりも横長であった場合は、映像取得部１１からの映像信号のアスペクト比を保ったまま縮小表示させて表示部１３の表示領域の上または下に詰めて表示させることで表示部１３の表示領域に余る領域が確保できるため、その余った領域にＯＳＤ生成部１２からのＯＳＤ画像情報を表示する。
【００３１】
図４及び図５は、比較対象の消費電力量と比較した情報をさらにＯＳＤ生成部１２からのＯＳＤ画像情報に重畳して表示したものである。ここで比較対象の消費電力量とは、本実施の形態にかかる映像表示装置１を備えた消費電力監視システムで過去に取得した消費電力量、または一般家庭での消費電力量の目安などの情報をテレビ放送やインターネット情報から取得した消費電力量などをいう。
【００３２】
例えば、映像表示装置１は、現在のそれぞれの電気機器の消費電力量の全体量Ｗｃを表示領域１３０２の中で表示するアイコンの総数Ｎで割った値を所定の電力量として、現在のそれぞれの電気機器の消費電力量が何個のアイコン数かを換算してアイコン数を決定する。
【００３３】
次に、過去の電力消費量の履歴を記憶する記憶部（図示せず）をさらに備え、この記憶部で記憶された過去の電力消費量の全体量Ｗｐを表示領域１３０２の中で表示するアイコンの総数Ｎで割った値を第２の所定電力量として、現在のそれぞれの電気機器の消費電力量を第２の所定電力量で割ることでそれぞれの電気機器が過去の電力消費量の全体量Ｗｐで考えた場合に何個分のアイコン数で表示すべきかを換算する。この換算したそれぞれのアイコン数が、所定の電力量で換算したアイコン数よりも多い場合は、その差分の数の情報について電気機器を示すアイコンの付近に表示する。例えば第２の所定電力量で換算した場合が６個、所定の電力量で換算した場合が５個の場合は、「＋１」や「１増加」など、アイコン１個分増えていることをユーザーが把握可能な文字情報（差分情報アイコン）にする。
【００３４】
図４において、冷蔵庫４１の現在の消費電力量は、所定の電力量で換算したときはアイコン数が２個分であるのに対して第２の所定電力量で換算したときはアイコン数が３個分であることを示す。また、照明機器４２の現在の消費電力量は、所定の電力量で換算したときはアイコン数が２個分であるのに対して第２の所定電力量で換算したときはアイコン数が２個分であることを示す。また、空調機器４３の現在の消費電力量は、所定の電力量で換算したときはアイコン数が４個分であるのに対して第２の所定電力量で換算したときはアイコン数が５個分であることを示す。この場合、冷蔵庫４１は第２の所定電力量で換算したときとのアイコン数の差分である１個分増化を示す「＋１」がアイコン１３４１ｂの横に表示されている。同様に、空調機器４３は第２の所定電力量で換算したときとのアイコン数の差分である１個分増化を示す「＋１」がアイコン１３４３ｄに重畳して表示されている。
【００３５】
図５において、冷蔵庫４１の現在の消費電力量は、所定の電力量で換算したときはアイコン数が２個分であるのに対して第２の所定電力量で換算したときはアイコン数が２個分であることを示す。また、照明機器４２の現在の消費電力量は、所定の電力量で換算したときはアイコン数が２個分であるのに対して第２の所定電力量で換算したときはアイコン数が２個分であることを示す。また、空調機器４３の現在の消費電力量は、所定の電力量で換算したときはアイコン数が４個分であるのに対して第２の所定電力量で換算したときはアイコン数が３個分であることを示す。この場合、空調機器４３は第２の所定電力量で換算したときとのアイコン数の差分である１個分減少を示す「−１」がアイコン１３４３ｄに重畳して表示されている。
【００３６】
このようにすることで、過去の電力消費量の全体量Ｗｐと比較した場合に現在のそれぞれの電気機器の電力消費量がどの程度かをユーザーが把握可能に表示することができる。例えば、昨年の同時期に比べてどれくらい空調機器４３を使用していたかを見ることで、昨年の同時期に比べて電力消費量が多ければ省エネルギーへの意識の低下を感じたり、電気料金を多く支払っていることを意識したりすることが可能になる。また、これはアイコンの数ではなくアイコンのサイズで表示する場合も第２の所定電力量で換算したときのサイズと所定の電力量で換算したときのサイズの差を数値化して表わすことにしても同様の効果が得られることはいうまでもない。
【００３７】
図６は、予め設定した消費電力量の上限を超えた場合の映像表示装置１での表示部１３の表示内容の例である。このように、映像表示装置１に消費電力量の上限を予め設定する上限設定部（図示せず）と、それぞれの電気機器の消費電力量の全体量Ｗｃが消費電力量の上限を超えたか否かを判定する比較部（図示せず）とをさらに備え、それぞれの電気機器の消費電力量の全体量Ｗｃが消費電力量の上限を超えた場合に、表示部１３の表示領域１３０のうちの映像取得部１１からの映像信号を表示する表示領域１３０１にそれぞれの電気機器の消費電力量の全体量Ｗｃが消費電力量の上限を超えたことを示す注意喚起情報を重畳して表示する。これにより、ユーザーは映像取得部１１からの映像信号側を視聴している状況であっても注意喚起情報を確認することができる。
【００３８】
また、ユーザーが表示部１３の表示領域１３０全体で映像取得部１１からの映像信号を使用しているときに、それぞれの電気機器の消費電力量の全体量Ｗｃが消費電力量の上限を超えたことをお知らせするものとして、ユーザーから指示されることなく、映像取得部１１からの映像信号を表示する表示領域１３０１を小さくしてＯＳＤ生成部１２からのＯＳＤ画像情報を表示する表示領域１３０２を作って表示することとしても、ユーザーはそれぞれの電気機器の消費電力量の全体量Ｗｃが消費電力量の上限を超えたことを把握することができ、この場合は映像取得部１１からの映像信号に注意喚起情報を重畳しなくても良いので、ユーザーが視聴している映像取得部１１からの映像信号の邪魔をすることなく表示することができる。
【００３９】
以上のように、映像取得部１１が取得した映像信号とＯＳＤ生成部１２が生成したＯＳＤ画像情報とをともに表示する表示部１３を備える映像表示装置１を用いて、複数の機器ごとに対応づけたアイコンを生成し、前記アイコンと前記複数の機器ごとの消費電力量とを対応づけて表示することで、比較的簡単に家庭内の誰もがいつでも電気機器の消費電力量を見ることができる状態にすることを可能にする。
【００４０】
さらに、いずれかの電気機器の消費電力量が予め設定した上限値を超えた場合は、ユーザーがアイコンによるモニターを非表示に設定していたとしても、映像表示装置１の表示画面上に、アイコンを表示して警告を発するように構成することも出来る。この場合には、映像取得部１１からの映像信号を縮小して余った領域に上限値を超えた電気機器のアイコンまたはＯＳＤ生成部１２が生成したＯＳＤ画像情報を表示するか、映像取得部１１からの映像信号に重畳して上限値を超えた電気機器のアイコンまたはＯＳＤ生成部１２が生成したＯＳＤ画像情報を表示する。このようにすることで、ユーザーに対していずれかの電気機器の消費電力量が予め設定した上限値を超えたことを目立つように知らせることが可能になる。
【００４１】
実施の形態２．
実施の形態１では、消費電力計測部３が各電気機器の消費電力量が計測できるもので説明した。この場合、各電気機器が自身の消費電力を測定した消費電力量を出力する場合は、各電気機器の消費電力量を集計することで消費電力計測部３は構成できる。しかしながら、まだ電気機器で自身の消費電力を計測し数値として供給できるものは稀で、各電気機器に電力を供給するコンセントに電力計を組み込むことで各電気機器の消費電力量を集計する。
【００４２】
図７は、消費電力監視システムが備える第２の消費電力計測部３１の構成図である。ここで、図１の消費電力計測部３及び図７の第２の消費電力計測部３１はネットワーク２を介して映像表示装置１と接続されるように示すが、映像表示装置１の中に消費電力計測部３または第２の消費電力計測部３１を設けた構成の消費電力監視システムであっても構わない。
【００４３】
電力計３１１は、各電気機器に供給されている電力の合計を計測する。電力量記録部３１２は、一定時間ごとに電力計３１１が計測した電力量を記録する。電源入切状態記録部３１３は、電力量記録部３１２が電力量を記録するときに各電気機器について電源がＯＮ状態であるかＯＦＦ状態であるかを示す電源入切状態情報を記録する。この際、電力量記録部３１２から電源入切状態記録部３１３へ、電力量を記録するタイミングを供給する、又はそれぞれの記録タイミングを制御する信号を電力量記録部３１２及び電源入切状態記録部３１３のそれぞれに送るなどすることで実現できる。
【００４４】
データ積算部３１４は、電力量記録部３１２からの電力量情報と、電源入切状態記録部３１３からの電源入切状態情報とから、各電気機器の電源入切状態のパターンごとに電力量情報の積算をする。
【００４５】
図８は、電力量記録部３１２からの電力量情報と、電源入切状態記録部３１３からの電源入切状態情報とを示す図である。横軸が時間であり、縦軸が電力量記録部３１２からの電力量である。また、図９は、図８の状況での各電気機器の電源入切状態を示す図である。
【００４６】
図８及び図９において、冷蔵庫４１は、時刻ｔ０から時刻ｔ４まで常時電源ＯＮである。照明機器４２は、時刻ｔ１から電源ＯＮになり時刻ｔ４に電源ＯＦＦになっている。空調機器４３は、時刻ｔ２から電源ＯＮになり時刻ｔ３に電源ＯＦＦになっている。ここで、冷蔵庫４１が電源ＯＮで照明機器４２及び空調機器４３が電源ＯＦＦの電源入切状態をパターンＡとする。冷蔵庫４１及び照明機器４２が電源ＯＮで空調機器４３が電源ＯＦＦの電源入切状態をパターンＢとする。冷蔵庫４１、照明機器４２及び空調機器４３が電源ＯＮの電源入切状態をパターンＣとする。
【００４７】
機器平均電力算出部３１５は、各電気機器の電源入切状態と、その状態の期間及び消費電力量とから、各電気機器の消費電力量を示す情報を算出する。例えば、電力量記録部３１２が時刻ｔに記録する電力量をＰ（ｔ）とした場合、時刻ｔ０から時刻ｔ１までのパターンＡの平均消費電力量ａｖｅ＿Ｐａは、第１式で求めることができる。
【００４８】
【数１】
2015076925.tif 000003
パターンＢについては、時刻ｔ１から時刻ｔ２までと時刻ｔ３から時刻ｔ４までがあるので、パターンＢの平均消費電力量ａｖｅ＿Ｐｂは、第２式で求めることができる。
【００４９】
【数２】
2015076925.tif 000004
パターンＡは、電気機器４１（冷蔵庫）のみ電源ＯＮであることから、電気機器４１（冷蔵庫）の平均消費電力量はパターンＡの平均消費電力量ａｖｅ＿Ｐａと考えられる。さらに、パターンＢは、電気機器４１（冷蔵庫）と電気機器４２（照明機器）とが電源ＯＮ、電気機器４３（空調機器）が電源ＯＦＦであるから、電気機器４２（照明機器）の平均消費電力量は、ａｖｅ＿Ｐｂからａｖｅ＿Ｐａを引いたものとする。
【００５０】
電気機器４２（照明機器）の平均消費電力量は、ａｖｅ＿Ｐｃからａｖｅ＿Ｐｂを引いて求めても、ａｖｅ＿Ｐｃから電気機器４１（冷蔵庫）の平均消費電力量と電気機器４２（照明機器）の平均消費電力量とを引いて求めても構わない。また、両方の算出を行ってその平均を求めて得るとしても構わない。
【００５１】
消費電力情報出力部３１６は、映像表示装置１の端末消費電力情報取得部１５へ各電気機器の平均消費電力量を供給する。このように、端末消費電力情報取得部１５は各電気機器の消費電力量のような具体的な測定数値ではなく、各電気機器の消費電力量に相当する情報（各電気機器の平均消費電力量）であっても、このような目安となる情報を基に現在電源ＯＮとなっている各各電気機器について表示数又は表示サイズを調整したアイコン表示をすることで、ユーザーへの消費電力削減の意識向上に役立つ表示を行なうことができる。
【００５２】
ここで、各電気機器の平均消費電力量ではなく、各電気機器の電力消費量の寄与率を供給することとしても良い。電気機器４１（冷蔵庫）の電力消費量の推定値Ｐａ、電気機器４２（照明機器）の電力消費量の推定値Ｐｂ、及び電気機器４３（空調機器）の電力消費量の推定値Ｐｃは、第３式で求めることができる。このとき、Ｐｔｏｔａｌは、電力量記録部３１２が記録する全電力消費量を示す。
【００５３】
【数３】
2015076925.tif 000005
【００５４】
このようにして、各電気機器の電源入切状態と、その状態の期間及び消費電力量とから各電気機器について電力消費量の推定値を求めることができる。そしてこの推定値を映像表示装置１が備える端末消費電力情報取得部１５に供給することで、映像表示装置１でその情報に基づいたアイコン表示をすることができ、ユーザーへの消費電力削減の意識向上に役立つ表示を行なうことができる。
【符号の説明】
【００５５】
１    映像表示装置
１１    映像取得部
１３    ＯＳＤ生成部
１５    端末消費電力情報取得部
１３    表示部
４１，４２，４３    電気機器
【図１】
2015076925.tif 000006
【図２】
2015076925.tif 000007
【図３】
2015076925.tif 000008
【図４】
2015076925.tif 000009
【図５】
2015076925.tif 000010
【図６】
2015076925.tif 000011
【図７】
2015076925.tif 000012
【図８】
2015076925.tif 000013
【図９】
2015076925.tif 000014